(57)【特許請求の範囲】
【請求項１】
表示手段と、
印刷ジョブの実行が終了した後、前記印刷ジョブの実行時にエラーが発生したかを判定するエラー判定手段と、
前記エラー判定手段により前記印刷ジョブの実行時にエラーが発生したと判定されたとき、前記エラーの内容を示すエラーの種別情報に応じた情報を含むレディ画面を前記表示手段に表示させる表示制御手段と、
レディ画面の表示時間を前記印刷ジョブの終了後から次の印刷ジョブの実行開始までの間の任意の時間に設定する表示時間設定手段と
を具備し、
前記エラーの種別情報は、トナーに起因して発生するエラーを示す情報と、トナー以外の要因に起因して発生するエラーを示す情報とを含み、
前記表示制御手段は、前記表示時間設定手段により設定された表示時間に、前記エラーの種別情報に応じたトナーに関する情報、又は、前記エラーの種別情報に応じたトナー以外のエラー要因に関する情報を含む前記レディ画面を前記表示手段に表示させる
ことを特徴とする画像形成装置。
【請求項２】
請求項１に記載の画像形成装置において、
前記トナーに起因して発生するエラーを示す情報は、トナーの残量がゼロになったことを示す情報であり、
前記表示制御手段は、前記表示時間設定手段により設定された表示時間に、前記エラーの種別情報に応じたトナーに関する情報として、トナーの残量に関する情報を含む前記レディ画面を前記表示手段に表示させる
ことを特徴とする画像形成装置。
【請求項３】
請求項１に記載の画像形成装置において、
前記トナー以外の要因に起因して発生するエラーを示す情報は、複数の給紙段のうち何れか１つの給紙段に供給された情報記録材のサイズと、前記給紙段に予め設定されている情報記録材のサイズとが不一致であることを示す情報を含み、
前記表示制御手段は、前記表示時間設定手段により設定された表示時間に、前記エラーの種別情報に応じたトナー以外のエラー要因に関する情報として、各給紙段に関する情報を含む前記レディ画面を前記表示手段に表示させる
ことを特徴とする画像形成装置。
【請求項４】
請求項１に記載の画像形成装置において、
前記トナー以外の要因に起因して発生するエラーを示す情報は、複数の給紙段のうち何れか１つの給紙段に供給された情報記録材の数量がゼロになったことを示す情報を含み、
前記表示制御手段は、前記表示時間設定手段により設定された表示時間に、前記エラーの種別情報に応じたトナー以外のエラー要因に関する情報として、前記各給紙段に関する情報を含む前記レディ画面を前記表示手段に表示させる
ことを特徴とする画像形成装置。
【請求項５】
請求項１に記載の画像形成装置において、
前記トナー以外の要因に起因して発生するエラーを示す情報は、任意の部門に関し、当該部門の印刷枚数が、部門毎に予め定められた印刷枚数の上限値に到達したことを示す情報を含み、
前記表示制御手段は、前記表示時間設定手段により設定された表示時間に、前記エラーの種別情報に応じたトナー以外のエラー要因に関する情報として、部門毎に予め定められた印刷枚数の上限値と部門毎の印刷枚数との差が予め定められた閾値以下である部門に関する予め定められた印刷枚数の上限値と、印刷枚数とに関する情報を含む前記レディ画面を前記表示手段に表示させる
ことを特徴とする画像形成装置。
【請求項６】
請求項１に記載の画像形成装置において、
前記トナー以外の要因に起因して発生するエラーを示す情報は、ステープル収容部毎のステープルの数量がゼロになったことを示す情報を含み、
前記表示制御手段は、前記表示時間設定手段により設定された表示時間に、前記エラーの種別情報に応じたトナー以外のエラー要因に関する情報として、ステープル収容部毎のステープルの残量を示す情報を含む前記レディ画面を前記表示手段に表示させる
ことを特徴とする画像形成装置。
【請求項７】
請求項１に記載の画像形成装置において、
前記トナー以外の要因に起因して発生するエラーを示す情報は、シート状の情報記録材が搬送経路の何処かで詰まるジャムが発生したことを示す情報を含み、
前記表示制御手段は、前記表示時間設定手段により設定された表示時間に、前記エラーの種別情報に応じたトナー以外のエラー要因に関する情報として、ジャム毎の発生回数に関する情報を含む前記レディ画面を前記表示手段に表示させる
ことを特徴とする画像形成装置。
【請求項８】
表示手段を備えた画像形成装置にインストールされた画像形成プログラムであって、
前記画像形成装置のコンピュータを、
印刷ジョブの実行が終了した後、前記印刷ジョブの実行時にエラーが発生したかを判定するエラー判定手段と、
前記エラー判定手段により前記印刷ジョブの実行時にエラーが発生したと判定されたとき、前記エラーの内容を示すエラーの種別情報に応じた情報を含むレディ画面を前記表示手段に表示させる表示制御手段と、
レディ画面の表示時間を前記印刷ジョブの終了後から次の印刷ジョブの実行開始までの間の任意の時間に設定する表示時間設定手段と
して機能させ、
前記エラーの種別情報は、トナーに起因して発生するエラーを示す情報と、トナー以外の要因に起因して発生するエラーを示す情報とを含み、
前記表示制御手段は、前記表示時間設定手段により設定された表示時間に、前記エラーの種別情報に応じたトナーに関する情報、又は、前記エラーの種別情報に応じたトナー以外のエラー要因に関する情報を含む前記レディ画面を前記表示手段に表示させる
ことを特徴とする画像形成プログラム。
【請求項９】
請求項８に記載の画像形成プログラムにおいて、
前記トナーに起因して発生するエラーを示す情報は、トナーの残量がゼロになったことを示す情報であり、
前記設定された表示時間に、前記エラーの種別情報に応じたトナーに関する情報として、トナーの残量に関する情報を含む前記レディ画面を前記表示手段に表示させる
ことを特徴とする画像形成プログラム。
【請求項１０】
請求項８に記載の画像形成プログラムにおいて、
前記トナー以外の要因に起因して発生するエラーを示す情報は、複数の給紙段のうち何れか１つの給紙段に供給された情報記録材のサイズと、前記給紙段に予め設定されている情報記録材のサイズとが不一致であることを示す情報を含み、
前記設定された表示時間に、前記エラーの種別情報に応じたトナー以外のエラー要因に関する情報として、各給紙段に関する情報を含む前記レディ画面を前記表示手段に表示させる
ことを特徴とする画像形成プログラム。
【請求項１１】
請求項８に記載の画像形成プログラムにおいて、
前記トナー以外の要因に起因して発生するエラーを示す情報は、複数の給紙段のうち何れか１つの給紙段に供給された情報記録材の数量がゼロになったことを示す情報を含み、
前記設定された表示時間に、前記エラーの種別情報に応じたトナー以外のエラー要因に関する情報として、前記各給紙段に関する情報を含む前記レディ画面を前記表示手段に表示させる
ことを特徴とする画像形成プログラム。
【請求項１２】
請求項８に記載の画像形成プログラムにおいて、
前記トナー以外の要因に起因して発生するエラーを示す情報は、任意の部門に関し、当該部門の印刷枚数が、部門毎に予め定められた印刷枚数の上限値に到達したことを示す情報を含み、
前記設定された表示時間に、前記エラーの種別情報に応じたトナー以外のエラー要因に関する情報として、部門毎に予め定められた印刷枚数の上限値と部門毎の印刷枚数との差が予め定められた閾値以下である部門に関する予め定められた印刷枚数の上限値と、印刷枚数とに関する情報を含む前記レディ画面を前記表示手段に表示させる
ことを特徴とする画像形成プログラム。
【請求項１３】
請求項８に記載の画像形成プログラムにおいて、
前記トナー以外の要因に起因して発生するエラーを示す情報は、ステープルの数量がゼロになったことを示す情報を含み、
前記設定された表示時間に、前記エラーの種別情報に応じたトナー以外のエラー要因に関する情報として、ステープル収容部毎のステープルの残量を示す情報を含む前記レディ画面を前記表示手段に表示させる
ことを特徴とする画像形成プログラム。
【請求項１４】
請求項８に記載の画像形成プログラムにおいて、
前記トナー以外の要因に起因して発生するエラーを示す情報は、シート状の情報記録材が搬送経路の何れかで詰まるジャムが発生したことを示す情報を含み、
前記設定された表示時間に、前記エラーの種別情報に応じたトナー以外のエラー要因に関する情報として、ジャム毎の発生回数に関する情報を含む前記レディ画面を前記表示手段に表示させる
ことを特徴とする画像形成プログラム。
【発明の詳細な説明】
【技術分野】
【０００１】
本発明は、印刷ジョブの終了後、当該印刷ジョブの実行時に発生したエラーに関連した情報を含むレディ画面を表示画面に表示する画像形成装置及び画像形成プログラムに関する。
【背景技術】
【０００２】
従来、プリント処理等の印刷ジョブを受け付けることが可能な場合に、印刷ジョブを受け付けることが可能であることを示すレディ画面上でトナーの残量を表示する画像形成装置が知られている（特許文献１参照）。
【０００３】
【特許文献１】特開平１−１８０３７９
【発明の開示】
【発明が解決しようとする課題】
【０００４】
かかる画像形成装置では、印刷ジョブの実行時に発生する可能性の高いエラーがあった場合、トナーに起因して発生するエラーに関しては、トナーに関連して何らかのエラーが発生する可能性があることを示す情報を操作者に対して与えることによって注意を喚起することが可能である。
【０００５】
従って、かかる画像形成装置であれば、トナーに起因して発生するエラーに関しては、操作者が表示された情報に基づいて、何らかの対策を講じることも可能な状態となっていた。
【０００６】
これに対し、かかる画像形成装置では、トナー以外に関する情報をレディ画面上で表示させることができないので、印刷ジョブの実行時に、トナー以外の要因に起因して発生する可能性の高い何らかのエラーがあったとしても、操作者に対して何らの情報を与えることもできないので、発生する可能性の高いエラーに対して操作者が対策を講じることは極めて困難であった。
【０００７】
本発明者の画像生成装置に関する考察によれば、トナーだけでなく、トナー以外の情報をも含むレディ画面を表示させることにより、操作者に対してエラーに関連する何らかの情報を提供することによって、トナーに起因して発生するエラーだけでなく、トナー以外の要因に起因して発生するエラーに対して操作者が何らかの対策を講じることを可能とする画像形成装置及び画像形成プログラムに関する産業界の要望が高まっている。
【０００８】
そこで、本発明は、トナーに起因して発生するエラーだけでなく、トナー以外の要因に起因して発生するエラーに対して操作者が何らかの対策を講じることを可能とする画像形成装置及び画像形成プログラムを提供することを目的とする。
【課題を解決するための手段】
【０００９】
本発明の骨子は、「印刷ジョブの終了後、当該実行済みの印刷ジョブに発生したエラーに応じて、印刷ジョブの終了後に表示手段に表示させるレディ画面に含まれる情報を切り替え可能とする」構成により、トナーに起因して発生するエラーだけでなく、トナー以外の要因に起因して発生するエラーに対して操作者が何らかの対策を講じることを可能とするという効果を達成することにある。
【００１０】
さて、以上のような本発明の骨子は、具体的には、以下のような手段を講じることにより実現される。
【００１３】
本発明は、画像形成装置であって、表示手段と、印刷ジョブの実行が終了した後、印刷ジョブの実行時にエラーが発生したかを判定するエラー判定手段と、前記エラー判定手段により前記印刷ジョブの実行時にエラーが発生したと判定されたとき、前記エラーの内容を示すエラーの種別情報に応じた情報を含むレディ画面を前記表示手段に表示させる表示制御手段と、レディ画面の表示時間を前記印刷ジョブの終了後から次の印刷ジョブの実行開始までの間の任意の時間に設定する表示時間設定手段とを具備し、前記エラーの種別情報は、トナーに起因して発生するエラーを示す情報と、トナー以外の要因に起因して発生するエラーを示す情報とを含み、前記表示制御手段は、前記表示時間設定手段により設定された表示時間に、前記エラーの種別情報に応じたトナーに関する情報、又は、前記エラーの種別情報に応じたトナー以外のエラー要因に関する情報を含む前記レディ画面を前記表示手段に表示させることを特徴とする。
【００１４】
これにより、エラー判定手段により印刷ジョブの実行時にエラーが発生したと判定されたとき、エラーの内容を示すエラーの種別情報に応じた情報を含むレディ画面が表示制御手段によって表示手段に表示されるので、トナーに起因して発生するエラーだけでなく、トナー以外の要因に起因して発生するエラーに対して操作者が何らかの対策を講じることが可能になる。
【００１７】
また本発明は、表示手段を備えた画像形成装置にインストールされた画像形成プログラムであって、
画像形成装置のコンピュータを、印刷ジョブの実行が終了した後、前記印刷ジョブの実行時にエラーが発生したかを判定するエラー判定手段と、前記エラー判定手段により前記印刷ジョブの実行時にエラーが発生したと判定されたとき、前記エラーの内容を示すエラーの種別情報に応じた情報を含むレディ画面を前記表示手段に表示させる表示制御手段と、レディ画面の表示時間を前記印刷ジョブの終了後から次の印刷ジョブの実行開始までの間の任意の時間に設定する表示時間設定手段として機能させ、前記エラーの種別情報は、トナーに起因して発生するエラーを示す情報と、トナー以外の要因に起因して発生するエラーを示す情報とを含み、前記表示制御手段は、前記表示時間設定手段により設定された表示時間に、前記エラーの種別情報に応じたトナーに関する情報、又は、前記エラーの種別情報に応じたトナー以外のエラー要因に関する情報を含む前記レディ画面を前記表示手段に表示させることを特徴とする。
【００１８】
これにより、印刷ジョブの実行が終了した後、印刷ジョブの実行時にエラーが発生したかがエラー判定機能により判定され、エラー判定機能により印刷ジョブの実行時にエラーが発生したと判定されたとき、エラーの内容を示すエラーの種別情報に応じた情報を含むレディ画面が表示制御機能によって表示手段に表示されるので、トナーに起因して発生するエラーだけでなく、トナー以外の要因に起因して発生するエラーに対して操作者が何らかの対策を講じることが可能になる。
【００１９】
なお、ここでは、説明の簡略化を図る観点から、本発明のうち「画像形成装置」、及び「画像形成プログラム」として表現された発明のみに関して説明を行ったが、これに限らず、本発明の要旨を変更しない範囲内で「画像形成方法」及び「記録媒体」等の任意のカテゴリーとして表現してもよいことは言うまでもない。
【００２０】
また、上記発明を「方法」として表現する場合には、上記「装置」の発明の説明中における「手段」という文言を「工程」、「段階」、「行程」、又は「ステップ」と言う文言に読み替えるものとする。
【００２１】
更に、上記発明を「記録媒体」として表現する場合には、上記「プログラム」の発明中の「プログラム」という文言を「プログラムを記録したコンピュータ読み取り可能な記録媒体」と言う文言に読み替えるものとする。
【発明の効果】
【００２２】
本発明によれば、トナーに起因して発生するエラーだけでなく、トナー以外の要因に起因して発生するエラーに対して操作者が何らかの対策を講じることが可能になる。
【発明を実施するための最良の形態】
【００２３】
以下、本発明の最良の形態に関し、図面を参照して説明する。
【００２４】
図１は、本発明の画像形成装置を適用した複合機１の一例を示す斜視図である。
【００２５】
また、図２は、本実施の形態に係る複合機１の構成の一例を示す機能ブロック図である。
【００２６】
本発明に係る画像形成装置を適用した複合機１は、例えばＬＡＮ（Local Area Network）やＷＡＮ（Wide Area Network）等の通信ネットワークを介して図示しない周知のパーソナルコンピュータや、図示しない他の複合機１に接続された、ＦＡＸ機能、スキャナ機能、コピー機能、プリンター機能等の種々の機能を備える複合機である。
【００２７】
本実施の形態に係る複合機１は、印刷ジョブを受け付けることが可能な場合に、表示パネルの表示画面１ａ１（表示手段）に印刷ジョブを受け付けることが可能であることを示し、直前の印刷ジョブの実行時に発生したエラーの内容に応じて、当該エラーの内容毎に予め定められた種々の情報を含む複数のレディ画面を表示する図１に示すような複合機である。
【００２８】
本実施の形態に係る複合機１は、図２に示すように、パネル部１ａと、インターフェース部１ｂと、トナー残量検出部１ｃY、１ｃM、１ｃC、１ｃKと、給紙段別カウンタ１ｄ１〜１ｄｎと、給紙段別紙残量検出部１ｅ１〜１ｅｎと、紙送り機構１ｆと、マイクロスイッチ１ｇ１〜１ｇ３と、給紙段別サイズ検出部１ｈ１〜１ｈｎと、ステープル残量検出部１ｉ１〜１ｉｎと、トナー残量記憶部１ｊと、給紙段別印刷枚数記憶部１ｋと、給紙段別残量記憶部１ｌと、印刷ジョブ履歴データ記憶部１ｍと、部門情報記憶部１ｎと、給紙段別サイズ記憶部１ｏと、ステープル残量記憶部１ｐと、ジャム履歴データ記憶部１ｑと、テンプレートファイル記憶部１ｒと、画像生成部１ｓと、プリンターエンジン部１ｔと、制御部１ｕとを備えている。
【００２９】
なお、本実施の形態に係る複合機１は、製造時に図示しない内蔵メモリに画像形成プログラムが書き込まれた、又は記録媒体もしくは通信ネットワークを介して画像形成プログラムがインストールされたコンピュータによって実現される。
【００３０】
また、本実施の形態に係る複合機１を構成する各部は、ソフトウェアもしくはハードウェア又はハードウェアとソフトウェアとの組み合わせのいずれから構成されていてもよいことは言うまでもない。
【００３１】
パネル部１ａは、この複合機１本体の電源スイッチを投入した場合に表示され、かつ、ＦＡＸ機能とスキャナ機能とコピー機能とプリンター機能との相互切替え、文書のデータを読み取る際の解像度、作成する文書のデータを含む電子ファイルの形式、画質、読み取り時の濃度、読み取り倍率の設定、及び各モードの設定等を行うためのメニュー画面と、タッチパネル上における操作者の操作によって表示され、かつ、印刷ジョブの実行状態を示すステイタス表示画面と、印刷ジョブを受け付けることが可能な場合に、印刷ジョブを受け付けることが可能なことを示すレディ画面とを表示する表示画面１ａ１（表示手段）を備えている。
【００３２】
本実施の形態に係るパネル部１ａは、表示時間設定入力受け付け機能と、表示時間設定要求出力機能とを有する。
【００３３】
表示時間設定入力受け付け機能は、タッチパネル上における操作者の選択操作により
直前の印刷ジョブの終了後から次の印刷ジョブの実行開始までの間の任意の時間に設定可能なレディ画面毎の表示時間の入力を受け付ける機能である。
【００３４】
表示時間設定要求出力機能は、タッチパネル上における操作者の選択操作により入力を受け付けたレディ画面毎の表示時間のデータと、レディ画面毎の表示時間を設定するための表示時間設定要求との組を制御部１ｕに出力する機能である。
【００３５】
インターフェース部１ｂは、例えばＬＡＮ（Local Area Network）、ＷＡＮ（Wide Area Network）等の通信ネットワークを介して接続された図示しない周知のパーソナルコンピュータや、図示しない他の複合機１から送信され、印刷ジョブ毎に割り当てられた印刷ジョブＩＤ、及びネットワーク上の端末に割り当てられたマックアドレスを含むヘッダ部分と、ページ記述言語等で記載されたプリントデータ本体とを含むパケットを受信し、受信したパケットのデータのパリティチェック、誤り訂正等の処理を実行した後、受信したパケットに含まれるデータを制御部１ｕに出力する。
【００３６】
トナー残量検出部１ｃY、１ｃM、１ｃC、１ｃKは、ＹＭＣＫ（Yellow/Magenta/Cyan/black）毎のトナーの残量を検出し、検出したトナーの残量のデータに、各トナー残量検出部１ｃＹ〜１ｃＫに割り当てられたトナーセンサＩＤを付加して、トナーの残量とトナーセンサＩＤとの組を制御部１ｕに出力する。
【００３７】
給紙段別カウンタ１ｄ１〜１ｄｎは、給紙段毎に設置されており、給紙段毎の印刷枚数をカウントし、カウントした印刷枚数に各給紙段別カウンタ１ｄ１〜１ｄｎに割り当てられたカウンタ識別ＩＤを付加して、カウントした印刷枚数とカウンタ識別ＩＤとの組を制御部１ｕに出力する。
【００３８】
給紙段別紙残量検出部１ｅ１〜１ｅｎは、給紙段毎に設置されており、給紙段毎の紙の残量に関するデータを検出し、検出した紙の残量に関するデータに給紙段別紙残量検出部１ｅ１〜１ｅｎ毎に割り当てられた紙センサＩＤを付加して、検出した紙の残量と紙センサＩＤとの組を制御部１ｕに出力する。
【００３９】
紙送り機構１ｆは、シート状の紙（情報記録材）を搬送経路に送りだすと、シート状の紙（情報記録材）を搬送経路に送り出したことを示す送出完了通知を制御部１ｕに出力する。
【００４０】
マイクロスイッチ１ｇ１〜１ｇ３は、搬送経路の上流、中流、下流の領域にそれぞれ設置され、紙が搬送経路上を通過したことを検出する図示しないアームを有するスイッチであり、紙が搬送路上の当該各マイクロスイッチ１ｇ１〜１ｇ３が設置された領域を通過したことを検出した場合に、紙が搬送路上の当該各マイクロスイッチ１ｇ１〜１ｇ３が設置された領域を通過したことを示す紙検出信号を制御部１ｕに出力する。
【００４１】
給紙段別サイズ検出部１ｈ１〜１ｈｎは、各給紙段にセットされている紙のサイズを検出する機能と、各給紙段別サイズ検出部１ｈ１〜１ｈｎに割り当てられたサイズセンサＩＤを検出した紙のサイズの情報に付加して、検出した紙のサイズとサイズセンサＩＤとの組を制御部１ｕに出力する機能とを有する。
【００４２】
ステープル残量検出部１ｉ１〜１ｉｎは、各ステープル収容部内に収容されたステープルの残量を検出し、各ステープル残量検出部１ｉ１〜１ｉｎに割り当てられたステープルセンサＩＤを検出したステープルの残量のデータに付加して、ステープルの残量とステープルセンサＩＤとの組を制御部１ｕに出力する。
【００４３】
トナー残量記憶部１ｊには、トナーの残量、トナーセンサＩＤ、及び検出時刻が対応して記憶されている。
【００４４】
給紙段別印刷枚数記憶部１ｋには、印刷枚数、カウンタ識別ＩＤ、及び検出時刻が対応して記憶されている。
【００４５】
給紙段別残量記憶部１ｌには、紙の残量、紙センサＩＤ、及び検出時刻が対応して記憶されている。
【００４６】
印刷ジョブ履歴データ記憶部１ｍには、印刷ジョブＩＤ、印刷ジョブの優先度、印刷ジョブの進捗情報、要求元の端末のマックアドレス、カラー印刷／白黒印刷の識別情報、実行開始時刻、実行終了時刻、印刷枚数、エラー発生の有無、及びエラーの内容を示すエラーの種別が少なくとも対応して記憶されている。
【００４７】
部門情報記憶部１ｎには、ネットワーク上の端末に個別に割り当てられたマックアドレスと、当該マックアドレスの割り当てられた端末の属する部門とが対応して記憶されている。
【００４８】
給紙段別サイズ記憶部１ｏには、給紙段のデータと用紙サイズのデータとが対応して記憶されている。
【００４９】
ステープル残量記憶部１ｐには、ステープルの種別とステープルの残量とが少なくとも対応して記憶されている。
【００５０】
ジャム履歴データ記憶部１ｑには、ジャムの種別とジャムの発生回数とが少なくとも対応して記憶されている。
【００５１】
テンプレートファイル記憶部１ｒには、エラーの有無に関する情報と、エラーの内容を示すエラーの種別と、表示時間と、表示項目と、表示形式と、表示項目のレイアウトに関するデータとが予め定められたメニュー画面、ステイタス表示画面、及びレディ画面のテンプレートファイルが記憶されている。
【００５２】
画像生成部１ｓは、ビットマップデータ生成機能とビットマップデータ出力機能とを有する。
【００５３】
ビットマップデータ生成機能は、制御部１ｕからページ記述言語で記述されたプリントデータを受け取り、受け取ったプリントデータを展開してビットマップのデータを生成する機能である。
【００５４】
ビットマップデータ出力機能は、前述したビットマップデータ生成機能により生成されたビットマップのデータを制御部１ｕに返送する機能である。
【００５５】
プリンターエンジン部１ｔは、印刷ジョブ実行機能、印刷ジョブリスト生成機能、印刷ジョブ開始通知出力機能、及び印刷ジョブ終了通知機能を有している。
【００５６】
印刷ジョブ実行機能は、制御部１ｕから受け取ったビットマップのデータを電子写真方式で画像として顕像化して、顕像化した画像を情報記録材である紙の表面に生成して印刷ジョブを実行する機能である。
【００５７】
印刷ジョブリスト生成機能は、制御部１ｕから受け取ったデータ内に含まれる印刷ジョブの優先度に基づいて、割り込み印刷ジョブがあった場合に該当する実行予定の印刷ジョブの順序を入れ替えて実行予定の印刷ジョブリストを生成して、生成した印刷ジョブリストを制御部１ｕに出力する機能である。
【００５８】
印刷ジョブ開始通知出力機能は、印刷ジョブの開始時に印刷ジョブの処理を開始したことを示す印刷ジョブ開始通知を制御部１ｕに出力する機能である。
【００５９】
印刷ジョブ終了通知機能は、印刷ジョブの終了時に印刷ジョブの処理が終了したことを示す印刷ジョブ終了通知を制御部１ｕに出力する機能である。
【００６０】
制御部１ｕは、以下の各機能を有しており、本実施の形態に係る複合機１が後述のエラー有無判定処理と、後述する各レディ画面を表示画面１ａ１に表示させる表示制御処理とを実行するように、パネル部１ａと、インターフェース部１ｂと、トナー残量検出部１ｃY、１ｃM、１ｃC、１ｃKと、給紙段別カウンタ１ｄ１〜１ｄｎと、給紙段別紙残量検出部１ｅ１〜１ｅｎと、紙送り機構１ｆと、マイクロスイッチ１ｇ１〜１ｇ３と、給紙段別サイズ検出部１ｈ１〜１ｈｎと、ステープル残量検出部１ｉ１〜１ｉｎと、トナー残量記憶部１ｊと、給紙段別印刷枚数記憶部１ｋと、給紙段別残量記憶部１ｌと、印刷ジョブ履歴データ記憶部１ｍと、部門情報記憶部１ｎと、給紙段別サイズ記憶部１ｏ、ステープル残量記憶部１ｐ、ジャム履歴データ記憶部１ｑと、テンプレートファイル記憶部１ｒと、画像生成部１ｓと、プリンターエンジン部１ｔとを制御する。
【００６１】
表示時間設定要求判定機能は、パネル部１ａから出力されたレディ画面の表示時間のデータと、レディ画面の表示時間を設定するための表示時間設定要求との組を受け取ったかにより、操作者からレディ画面の表示時間を設定する表示時間設定要求があるかを判定する機能である。
【００６２】
表示時間設定機能は、表示時間設定要求判定機能により操作者からレディ画面の表示時間設定要求があると判定された場合に、テンプレートファイル記憶部１ｒに記憶されたレディ画面のテンプレートファイル毎の表示時間のデータを設定する機能である。
【００６３】
パケットデータ転送機能は、インターフェース部１ｂから受け取ったパケットに含まれるデータを画像生成部１ｓに出力する機能である。
【００６４】
ビットマップデータ転送機能は、画像生成部１ｓから返送されたビットマップのデータをプリンターエンジン部１ｔに出力する機能である。
【００６５】
タイマー機能は、継続的に時刻を計時する機能である。
【００６６】
トナーの残量書き込み機能は、トナー残量検出部１ｃY、１ｃM、１ｃC、１ｃKから出力されたＹＭＣＫ毎のトナーの残量とトナーセンサＩＤとの組を受け取り、受け取ったトナーの残量とトナーセンサＩＤとの組に、受信した時刻を検出時刻のデータとして付加して、トナーの残量とトナーセンサＩＤと検出時刻のデータとの組をトナー残量記憶部１ｆに書き込む機能である。
【００６７】
紙残量書き込み機能は、給紙段別カウンタ１ｄ１〜１ｄｎから出力されたカウント済みの印刷枚数とカウンタ識別ＩＤとの組を受け取り、受け取ったカウント済みの印刷枚数とカウンタ識別ＩＤとに受信時刻のデータを検出時刻として付加して、カウント済みの印刷枚数とカウンタ識別ＩＤと検出時刻のデータとの組を給紙段別残量記憶部１ｈに書き込む機能である。
【００６８】
印刷ジョブリスト書き込み機能は、プリンターエンジン部１ｔから受け取った印刷ジョブリストのデータを受け取り、受け取った実行予定の印刷ジョブリストの全データに関して、プリントデータ本体に色情報を含むかに応じて、カラー印刷であるか又は白黒印刷であるかを示すカラー印刷／白黒印刷の識別情報を付加して、カラー印刷／白黒印刷の識別情報を付加した実行予定の印刷ジョブリストのデータを印刷ジョブ履歴データ記憶部１ｍに書き込む機能である。
【００６９】
第１の印刷ジョブ履歴更新機能は、プリンターエンジン部１ｔから印刷ジョブの処理を開始したことを示す印刷ジョブ開始通知を受け取った場合に、印刷ジョブの実行開始時刻のデータを、印刷ジョブ履歴データ記憶部１ｍに記憶された印刷ジョブ履歴のデータに上書き更新する機能である。
【００７０】
第２の印刷ジョブ履歴更新機能は、プリンターエンジン部１ｔから印刷ジョブの処理を終了したことを示す印刷ジョブ終了通知を受け取った場合に、印刷ジョブの進捗情報を、印刷ジョブが終了したことを示す、例えば「完了済み」に変更して、印刷ジョブ履歴データ記憶部１ｍに記憶された印刷ジョブ履歴のデータを上書き更新する機能である。
【００７１】
印刷ジョブ受付判定機能は、印刷ジョブ履歴データ記憶部１ｍを参照して実行中の印刷ジョブがあるかにより、印刷ジョブを受け付けることが可能かを判定する機能である。
【００７２】
第１のレディ画面表示制御機能は、前述した第１の印刷ジョブ受付判定機能で実行中の印刷ジョブがない、換言すれば印刷ジョブを受け付けることが可能であると判定された場合に、テンプレートファイル記憶部１ｒのデフォルト設定の有無情報を参照して、印刷ジョブを受け付けることが可能であることを示し、かつ、他の情報を含むレディ画面の表示要求を受け付けるための画面切替釦を含む、予めデフォルト表示画面に設定されたレディ画面のデータをテンプレートファイル記憶部１ｒから読み出し、印刷ジョブを受け付けることが可能であることを示し、かつ、他の情報を含むレディ画面の表示要求を受け付けるための画面切替釦（第１の釦）を含むレディ画面を表示画面１ａ１（表示手段）に表示させる機能である。
【００７３】
トナーエンプティエラー判定機能は、トナー残量検出部１ｃY、１ｃM、１ｃC、１ｃKから出力されたトナーの残量とトナーセンサＩＤとの組を受け取り、受け取ったトナーの残量がゼロであるかにより、カートリッジ内のトナーが無くなったことに起因するエラーであるトナーエンプティエラーが発生したかを判定する機能である。
【００７４】
トナーエンプティエラー情報更新機能は、前述したトナーエンプティエラー判定機能によりトナーエンプティエラーが発生していると判定された場合、印刷ジョブ履歴データ記憶部１ｍ内のエラーの有無に関する情報をトナーエンプティエラーが発生したことを示す「エラー発生有り」に、エラーの種別に関する情報を「トナーエンプティエラー」にそれぞれ変更して、印刷ジョブのデータを更新する機能である。
【００７５】
紙残量エラー判定機能は、給紙段別紙残量検出部１ｅ１〜１ｅｎから紙の残量と紙センサＩＤとの組を受け取り、受け取った紙の残量がゼロであるかにより、各給紙段の何れかに紙が無くなったことに起因するエラーであるペーパーエンプティエラーが発生したかを判定する機能である。
【００７６】
ペーパーエラー情報更新機能は、前述した紙残量エラー判定機能によりペーパーエンプティエラーが発生していると判定された場合、印刷ジョブ履歴データ記憶部１ｍ内のエラーの有無に関する情報をペーパーエンプティエラーが発生したことを示す「エラー発生有り」に、エラーの種別に関する情報を「ペーパーエンプティエラー」にそれぞれ変更して、印刷ジョブのデータを更新する機能である。
【００７７】
サイズミスマッチエラー判定機能は、検出した紙のサイズとサイズセンサＩＤとの組を受け取り、サイズセンサＩＤに対応する紙のサイズのデータを給紙段別サイズ記憶部１ｏから読み出し、読み出した紙のサイズのデータと受け取った紙のサイズのデータとが一致するかにより、各給紙段にセットされた紙のサイズと、予め当該給紙段に設定されている紙のサイズとが一致するかにより、各給紙段にセットされた紙のサイズと、予め当該給紙段に設定されている紙のサイズとが一致しないことに起因するエラーであるサイズミスマッチエラーが発生したかを判定する機能である。
【００７８】
サイズミスマッチエラー情報更新機能は、前述したサイズミスマッチエラー判定機能によりサイズミスマッチエラーが発生したと判定された場合、印刷ジョブ履歴データ記憶部１ｍ内のエラーの有無に関する情報をサイズミスマッチエラーが発生したことを示す「エラー発生有り」に、エラーの種別に関する情報を「サイズミスマッチエラー」にそれぞれ変更して、印刷ジョブのデータを更新する機能である。
【００７９】
部門管理不能エラー判定機能は、給紙段別カウンタ１ｄ１〜１ｄｎから出力された印刷枚数とカウンタ識別ＩＤとの組を受け取ると、受け取った印刷枚数のデータを印刷ジョブ履歴データ記憶部１ｍの印刷枚数のデータに上書きして、データを更新した後、現在時刻以前の実行済み印刷ジョブに関するデータを印刷ジョブ履歴データ記憶部１ｍから全て読み出し、部門情報記憶部１ｎに記憶されたマックアドレスに対応する部門毎に、印刷ジョブ履歴データ記憶部１ｍから読み出した実行済みの全印刷ジョブのデータを再集計して、再集計の結果、得られた部門毎の紙の印刷枚数が、部門毎に予め定められた印刷枚数の上限値を超過しているかにより、部門毎の印刷枚数が部門毎に予め定められた印刷枚数の上限値を超過することに起因するエラーである部門管理不能エラーが発生したかを判定する機能である。
【００８０】
部門管理不能エラー情報更新機能は、前述した部門管理不能エラー判定機能により部門管理不能エラーが発生していると判定された場合、印刷ジョブ履歴データ記憶部１ｍ内のエラーの有無に関する情報を部門管理不能エラーが発生したことを示す「エラー発生有り」に、エラーの種別に関する情報を「部門管理不能エラー」にそれぞれ変更して、印刷ジョブのデータを更新する機能である。
【００８１】
ステープルエラー判定機能は、ステープル残量検出部１ｉ１〜１ｉｎから出力されたステープルの残量のデータとステープルセンサＩＤとの組を受け取って、受け取ったステープルの残量がゼロであるかにより、ステープルが無くなったことに起因するエラーであるステープルエンプティエラーが発生したかを判定する機能である。
【００８２】
ステープルエラー情報更新機能は、前述したステープルエラー判定機能によりステープルエラーが発生したと判定された場合、印刷ジョブ履歴データ記憶部１ｍ内のエラーの有無に関する情報をステープルエラーが発生したことを示す「エラー発生有り」に、エラーの種別に関する情報を「ステープルエラー」にそれぞれ変更して、印刷ジョブのデータを更新する機能である。
【００８３】
ジャムエラー判定機能は、紙送り機構１ｆから出力された送出完了通知を受け取った後、予め定められた時間内に各マイクロスイッチから紙検出信号を受け取ったかにより、搬送路上の上流、中流、下流の何れかの領域で紙が詰まったことに起因するエラーであるジャムエラーが発生したかを判定する機能である。
【００８４】
ジャムエラー情報更新機能は、前述したジャムエラー判定機能によりジャムエラーが発生していると判定された場合、印刷ジョブ履歴データ記憶部１ｍ内のエラーの有無に関する情報をジャムエラーが発生したことを示す「エラー発生有り」に、エラーの種別に関する情報を「ジャムエラー」にそれぞれ変更して、印刷ジョブのデータを更新する機能である。
【００８５】
印刷ジョブ終了判定機能は、プリンターエンジン部１ｔから印刷ジョブ終了通知を受け取ったかにより、印刷ジョブが終了したかを判定する機能である。
【００８６】
実行済み印刷ジョブデータ更新機能は、前述した印刷ジョブ終了判定機能により印刷ジョブが終了したと判定された場合、該当する実行済み印刷ジョブに関して印刷ジョブの終了時刻を印刷ジョブ履歴データ記憶部１ｍに書き込む機能である。
【００８７】
実行済み印刷ジョブエラー存在判定機能は、印刷ジョブ履歴データ記憶部１ｍ内の現在時刻に直近の実行済み印刷ジョブのデータに関し、エラー発生の有無に関する情報を参照して、直近の実行済み印刷ジョブの実行時に何らかのエラーが発生していたかを判定する機能である。
【００８８】
エラー種別特定機能は、前述した実行済み印刷ジョブエラー存在判定機能により実行済み印刷ジョブの実行時に何らかのエラーが発生していると判定された場合、印刷ジョブ履歴データ記憶部１ｍ内のエラーの種別に関する情報を参照して当該印刷ジョブの実行時に発生していたエラーの種別を特定する機能である。
【００８９】
第２のレディ画面表示制御機能は、前述した実行済み印刷ジョブエラー存在判定機能により実行済みの印刷ジョブに関してエラーが発生していないと判定された場合には、トナー残量記憶部１ｊからトナーの残量のデータを読み出した後、テンプレートファイル記憶部１ｒから読み出した「エラー無し」のときのレディ画面のテンプレートファイルとトナーの残量のデータとを合成して、トナーの残量を示す第１のイメージを含むレディ画面を表示画面１ａ１に表示させる機能である。
【００９０】
第３のレディ画面表示制御機能は、前述した実行済み印刷ジョブエラー存在判定機能により実行済みの印刷ジョブに関して何らかのエラーが発生していると判定された場合、エラー種別特定機能により特定されたエラーの種別がトナーエンプティエラーであるときには、トナー残量記憶部１ｊからトナーの残量のデータを読み出した後、テンプレートファイル記憶部１ｒから読み出したエラーの種別がトナーエンプティエラーのときのレディ画面のテンプレートファイルとトナーの残量のデータとを合成して、トナーの残量を示す第２のイメージを含むレディ画面を表示画面１ａ１に表示させる機能である。
【００９１】
第４のレディ画面表示制御機能は、前述した実行済み印刷ジョブエラー存在判定機能により実行済みの印刷ジョブに関して何らかのエラーが発生していると判定された場合、エラー種別特定機能により特定されたエラーの種別が部門管理不能エラーであるときには、現在時刻以前の実行済み印刷ジョブに関するデータを印刷ジョブ履歴データ記憶部１ｍから全て読み出し、部門情報記憶部１ｎに記憶されたマックアドレスに対応する部門毎に、印刷ジョブ履歴データ記憶部１ｍから読み出した実行済みの全印刷ジョブのデータを再集計して、再集計の結果、得られた部門毎の紙の印刷枚数のデータと、テンプレートファイル記憶部１ｒから読み出したエラーの種別が部門管理不能エラーであるときのレディ画面のテンプレートファイルとを合成して、部門毎の紙の印刷枚数を示す第３のイメージを含むレディ画面を表示画面１ａ１に表示させる機能である。
【００９２】
第５のレディ画面表示制御機能は、前述した実行済み印刷ジョブエラー存在判定機能により実行済みの印刷ジョブに関して何らかのエラーが発生していると判定された場合、エラー種別特定機能により特定されたエラーの種別がサイズミスマッチエラーであるときには、給紙段別残量記憶部１ｌから給紙段毎の紙の残量のデータを読み出した後、テンプレートファイル記憶部１ｒから読み出したエラーの種別がサイズミスマッチエラーのときのレディ画面のテンプレートファイルと給紙段毎の紙の残量のデータとを合成して、給紙段毎の紙の残量を示す第４のイメージを含むレディ画面を表示画面１ａ１に表示させる機能である。
【００９３】
第６のレディ画面表示制御機能は、前述した実行済み印刷ジョブエラー存在判定機能により実行済みの印刷ジョブに関して何らかのエラーが発生していると判定された場合、エラー種別特定機能により特定されたエラーの種別がペーパーエンプティエラーであるときには、給紙段別残量記憶部１ｌから給紙段毎の紙の残量のデータを読み出した後、テンプレートファイル記憶部１ｒから読み出したエラーの種別がペーパーエンプティエラーのときのレディ画面のテンプレートファイルと給紙段毎の紙の残量のデータとを合成して、給紙段毎の紙の残量を示す第５のイメージを含むレディ画面を表示画面１ａ１に表示させる機能である。
【００９４】
第７のレディ画面表示制御機能は、前述した実行済み印刷ジョブエラー存在判定機能により実行済みの印刷ジョブに関して何らかのエラーが発生していると判定された場合、エラー種別特定機能により特定されたエラーの種別がステープルエンプティエラーであるときには、ステープル残量データ記憶部１ｐからステープルの残量のデータを読み出した後、テンプレートファイル記憶部１ｒから読み出したエラーの種別がステープルエンプティエラーのときのレディ画面のテンプレートファイルとステープルの残量のデータとを合成して、ステープルの残量を示す第６のイメージを含むレディ画面を表示画面１ａ１に表示させる機能である。
【００９５】
第８のレディ画面表示制御機能は、前述した実行済み印刷ジョブエラー存在判定機能により実行済みの印刷ジョブに関して何らかのエラーが発生していると判定された場合、エラー種別特定機能により特定されたエラーの種別がジャムエラーであるときには、ジャム履歴データ記憶部１ｑからジャムの種別及びジャムの発生回数のデータを読み出した後、テンプレートファイル記憶部１ｒから読み出したエラーの種別がジャムエラーのときのレディ画面のテンプレートファイルと給紙段毎の紙の残量のデータとを合成して、ジャムの種別、換言すればジャムの要因毎の発生回数を示す第７のイメージを含むレディ画面を表示画面１ａ１に表示させる機能である。
【００９６】
次に、以上のように構成された複合機１が実行する実行処理に関し、図面を参照して説明する。
【００９７】
図３は、本実施の形態に係る複合機１が実行する実行処理に関して説明するためのフローチャートである。
【００９８】
なお、本実施の形態に係る複合機１では、直前の印刷ジョブの実行中に前述した「トナーエンプティエラー」、「サイズミスマッチエラー」、「部門管理不能エラー」、「ステープルエンプティエラー」、及び「ジャムエラー」の何れかのエラーが発生した後で、このエラーが操作者の解除操作によって解除されると、当該複合機１のコンピュータにインストールされた画像形成プログラムが起動して以下の処理を実行する。
【００９９】
まず、制御部１ｕは、プリンターエンジン部１ｔから出力された印刷ジョブ完了通知を受け取ったかにより、実行中の印刷ジョブが終了したかを判定する（ＳＴ１）。
【０１００】
制御部１ｕは、前述した工程ＳＴ１で印刷ジョブが終了したと判定した場合には（ＳＴ１：Ｙｅｓ）、印刷ジョブ履歴データ記憶部１ｍ内に記憶された現在時刻の直近の時刻に実行済みとなった印刷ジョブのエラーの有無に関する情報を参照することにより、直前に終了した印刷ジョブの実行中にエラーが発生したかを判定する（ＳＴ２）。
【０１０１】
一方、制御部１ｕは、前述した工程ＳＴ１で印刷ジョブが終了していないと判定した場合には（ＳＴ１：Ｎｏ）、前述した実行中の印刷ジョブが終了したかに関する判定処理を繰り返す。
【０１０２】
制御部１ｕは、前述した工程ＳＴ２で、直前に終了した印刷ジョブの実行中に何らかのエラーが発生したと判定した場合には（ＳＴ２：Ｙｅｓ）、印刷ジョブ履歴データ記憶部１ｍ内に記憶された現在時刻の直近の時刻に実行済みとなった印刷ジョブのエラーの種別に関する情報を参照することにより、直前に終了した印刷ジョブの実行中に発生したエラーの種別を特定する（ＳＴ３）。
【０１０３】
一方、制御部１ｕは、前述した工程ＳＴ２で、直前に終了した印刷ジョブの実行中に何らのエラーも発生していないと判定した場合には（ＳＴ２：Ｎｏ）、エラーの発生の有無に関する情報が「エラーの発生無し」に対応するレディ画面のテンプレートファイルをテンプレートファイル記憶部１ｒから読み出し、読み出したレディ画面のテンプレートファイルのデータとトナー残量記憶部１ｊから読み出したトナーの残量のデータとを合成して、トナーの残量に関する第１のイメージを含むレディ画面を予め操作者によって設定された表示時間の間だけ表示画面１ａ１（表示手段）に表示させる（ＳＴ４）。
【０１０４】
図４は、直前の印刷ジョブに何らのエラーも発生していない場合に、本実施の形態に係る複合機１の表示画面１ａ１に表示されるレディ画面の一例を示す模式図である。
【０１０５】
このレディ画面は、表示している画面がレディ画面であることを示す「Ｒｅａｄｙ to ｐｒｉｎｔ．」というメッセージと、デフォルトで設定されている紙のサイズと、デフォルトで設定されている紙の種別と、トナーの残量を示す第１のイメージと、選択操作がこのレディ画面上でなされ、かつ、メニュー画面の表示要求の入力を受け付けるためのメニュー画面釦と、選択操作がこのレディ画面上でなされ、かつ、実行予定の印刷ジョブリストを含むステイタス表示画面を表示させるための表示要求の入力を受け付けるためのステイタス表示画面釦とを含んでいる。
【０１０６】
なお、本実施の形態に係る複合機１の表示画面１ａ１に表示するレディ画面は、トナーの残量を示す第１のイメージに加えて紙の使用枚数に関するデータのイメージを更に含んでいてもよいことは言うまでもない。
【０１０７】
一方、制御部１ｕは、前述した工程ＳＴ３でエラーの種別が、トナー残量がゼロになったことに起因するエラーである「トナーエンプティエラー」と特定された場合には（ＳＴ３：error１）、エラーの発生の有無に関する情報が「エラーの発生有り」でかつ、エラーの種別が「トナーエンプティエラー」に対応するレディ画面のテンプレートファイルをテンプレートファイル記憶部１ｒから読み出し、読みだしたレディ画面のテンプレートファイルのデータと、トナー残量記憶部１ｊから読み出したトナーの残量のデータとを合成して、トナーの残量に関する第２のイメージを含むレディ画面を予め操作者によって設定された表示時間の間だけ表示画面１ａ１（表示手段）に表示させる（ＳＴ５）。
【０１０８】
図５は、直前の印刷ジョブにトナーに起因するトナーエンプティエラーが発生している場合に、本実施の形態に係る複合機１の表示画面１ａ１に表示されるレディ画面の一例を示す模式図である。
【０１０９】
このレディ画面は、表示している画面がレディ画面であることを示す「Ｒｅａｄｙ to ｐｒｉｎｔ．」というメッセージと、トナーの残量を示す第２のイメージと、選択操作が当該レディ画面上でなされて、前述したトナーの残量を示す第２のイメージとは異なるトナーの残量を示す第１のイメージを含む、エラーが発生していない場合に表示される前述のレディ画面を表示させるための表示要求の入力を受け付ける画面切替釦とを含んでいる。
【０１１０】
一方、制御部１ｕは、前述した工程ＳＴ３でエラーの種別が部門毎の印刷枚数が部門毎に予め定められた印刷枚数の上限値を超過することに起因するエラーである部門管理不能エラーであると特定された場合には（ＳＴ３：error２）、現在時刻以前の実行済み印刷ジョブに関するデータを印刷ジョブ履歴データ記憶部１ｍから全て読み出し、部門情報記憶部１ｎに記憶されたマックアドレスに対応する部門毎に、印刷ジョブ履歴データ記憶部１ｍから読み出した実行済みの全印刷ジョブのデータを再集計して、再集計の結果、得られた部門毎の紙の印刷枚数のデータと、テンプレートファイル記憶部１ｒから読み出したエラーの種別が部門管理不能エラーであるときのレディ画面のテンプレートファイルのデータとを合成して、部門毎の紙の印刷枚数を示す第３のイメージを含むレディ画面を予め操作者によって設定された表示時間の間だけ表示画面１ａ１に表示させる（ＳＴ６）。
【０１１１】
図６は、直前の印刷ジョブに、部門毎の紙の印刷枚数が部門毎に予め定められた印刷枚数の上限値を超過していることに起因する部門管理不能エラーが発生している場合に、本実施の形態に係る複合機１の表示画面１ａ１に表示されるレディ画面の一例を示す模式図である。
【０１１２】
このレディ画面は、表示している画面がレディ画面であることを示す「Ｒｅａｄｙ to ｐｒｉｎｔ．」というメッセージと、部門毎の印刷枚数と部門毎に予め定められた印刷枚数の上限値とを示す第３のイメージと、選択操作が当該レディ画面上でなされて、前述した部門毎の印刷枚数と部門毎に予め定められた印刷枚数の上限値とを示す第３のイメージとは異なるトナーの残量を示す第１のイメージを含む、エラーが発生していない場合に表示される前述のレディ画面を表示させるための表示要求の入力を受け付ける画面切替釦とを含んでいる。
【０１１３】
なお、本実施の形態に係る複合機１は、直前の印刷ジョブに、部門毎の紙の印刷枚数が部門毎に予め定められた印刷枚数の上限値を超過していることに起因する部門管理不能エラーが発生している場合には、部門毎の印刷枚数、及び予め定められた部門毎の印刷枚数の上限値と部門毎の印刷枚数との差で定まる印刷可能枚数のうち少なくとも一方を示すイメージを含むレディ画面を表示してもよいことはいうまでもない。
【０１１４】
一方、制御部１ｕは、前述した工程ＳＴ３でエラーの種別が、当該複合機１本体に設けられた何れかの給紙段に収容された紙のサイズが予め定められた紙のサイズと異なることに起因するエラーである「サイズミスマッチエラー」であると特定された場合には（ＳＴ３：error３）、エラーの発生の有無に関する情報が「エラーの発生有り」でかつ、エラーの種別が「サイズミスマッチエラー」に対応するレディ画面のテンプレートファイルをテンプレートファイル記憶部１ｒから読み出し、読みだしたレディ画面のテンプレートファイルのデータと、給紙段別残量記憶部１ｌから読み出した給紙段毎の紙の残量に関するデータとを合成して、給紙段毎の紙の残量に関する第４のイメージを含むレディ画面を予め操作者によって設定された表示時間の間だけ表示画面１ａ１（表示手段）に表示させる（ＳＴ７）。
【０１１５】
図７は、直前の印刷ジョブに、当該複合機１本体に設けられた何れかの給紙段に収容された紙のサイズが予め定められた紙のサイズと異なることに起因するエラーであるサイズミスマッチエラーが発生している場合に、本実施の形態に係る複合機１の表示画面１ａ１に表示されるレディ画面の一例を示す模式図である。
【０１１６】
このレディ画面は、表示している画面がレディ画面であることを示す「Ｒｅａｄｙ to ｐｒｉｎｔ．」というメッセージと、給紙段毎の紙の残量を示す第４のイメージと、選択操作が当該レディ画面上でなされて、前述した給紙段毎の紙の残量を示す第４のイメージとは異なるトナーの残量を示す第１のイメージを含む、エラーが発生していない場合に表示される前述のレディ画面を表示させるための表示要求の入力を受け付ける画面切替釦とを含んでいる。
【０１１７】
一方、制御部１ｕは、前述した工程ＳＴ３でエラーの種別が、当該複合機１本体に設けられた何れかの給紙段の紙の残数がゼロになったことに起因するエラーである「ペーパーエンプティエラー」であると特定された場合には（ＳＴ３：error４）、エラーの発生の有無に関する情報が「エラーの発生有り」でかつ、エラーの種別が「ペーパーエンプティエラー」に対応するレディ画面のテンプレートファイルをテンプレートファイル記憶部１ｒから読み出し、読みだしたレディ画面のテンプレートファイルのデータと、給紙段別残量記憶部１ｌから読み出した給紙段毎の紙の残量に関するデータとを合成して、給紙段毎の紙の残量に関する第５のイメージを含むレディ画面を予め操作者によって設定された表示時間の間だけ表示画面１ａ１（表示手段）に表示させる（ＳＴ８）。
【０１１８】
図８は、直前の印刷ジョブに給紙段の紙の残量がゼロになったことに起因するペーパーエンプティエラーが発生している場合に、本実施の形態に係る複合機１の表示画面１ａ１に表示されるレディ画面の一例を示す模式図である。
【０１１９】
このレディ画面は、表示している画面がレディ画面であることを示す「Ｒｅａｄｙ to ｐｒｉｎｔ．」というメッセージと、給紙段毎の紙の残量を示す第５のイメージと、選択操作が当該レディ画面上でなされて、前述した給紙段毎の紙の残量を示す第５のイメージとは異なるトナーの残量を示す第１のイメージを含む、エラーが発生していない場合に表示される前述のレディ画面を表示させるための表示要求の入力を受け付ける画面切替釦とを含んでいる。
【０１２０】
なお、本実施の形態に係る複合機１に関しては、直前の印刷ジョブに発生したエラーの種別が当該複合機１本体に設けられた何れかの給紙段の紙の残数がゼロになったことに起因するエラーであるペーパーエンプティエラーである場合、及び、当該複合機１本体に設けられた何れかの給紙段に収容された紙のサイズが予め定められた紙のサイズと異なることに起因するエラーであるサイズミスマッチエラーである場合には、表示している画面がレディ画面であることを示す「Ｒｅａｄｙ to ｐｒｉｎｔ．」というメッセージと、給紙段毎の紙の残量を示す第４のイメージと、選択操作が当該レディ画面上でなされて、前述した給紙段毎の紙の残量を示す第４のイメージとは異なるトナーの残量を示す第１のイメージを含む、エラーが発生していない場合に表示される前述のレディ画面を表示させるための表示要求の入力を受け付ける画面切替釦とを含む前述した図７と同一のレディ画面を表示画面１ａ１に表示させてもよいことは言うまでもない。
【０１２１】
一方、制御部１ｕは、前述した工程ＳＴ３でエラーの種別が、当該複合機１本体のステープル収容部の何れかのステープルが無くなったことに起因するエラーであるステープルエンプティエラーであると特定された場合には（ＳＴ３：error５）、エラーの発生の有無に関する情報が「エラーの発生有り」でかつ、エラーの種別が「ステープルエンプティエラー」に対応するレディ画面のテンプレートファイルをテンプレートファイル記憶部１ｒから読み出し、読みだしたレディ画面のテンプレートファイルのデータと、ステープル残量記憶部１ｐから読み出したステープル収容部毎のステープルの残量に関するデータとを合成して、ステープル収容部毎のステープルの残量に関する第６のイメージを含むレディ画面を予め操作者によって設定された表示時間の間だけ表示画面１ａ１（表示手段）に表示させる（ＳＴ９）。
【０１２２】
図９は、直前の印刷ジョブに、いずれかのステープル収容部内のステープルの残量がゼロとなったことに起因するステープルエンプティエラーが発生している場合に、本実施の形態に係る複合機１の表示画面１ａ１に表示されるレディ画面の一例を示す模式図である。
【０１２３】
このレディ画面は、表示している画面がレディ画面であることを示す「Ｒｅａｄｙ to ｐｒｉｎｔ．」というメッセージと、ステープル収容部毎のステープルの残量を示す第６のイメージと、選択操作が当該レディ画面上でなされて、前述したステープル収容部毎のステープルの残量を示す第６のイメージとは異なるトナーの残量を示す第１のイメージを含む、エラーが発生していない場合に表示される前述のレディ画面を表示させるための表示要求の入力を受け付ける画面切替釦とを含んでいる。
【０１２４】
なお、本実施の形態に係る複合機１は、直前の印刷ジョブに、いずれかのステープル収容部内のステープルの残量がゼロとなったことに起因するステープルエンプティエラーが発生している場合には、例えば、ブックレット等の種々のオプション状態を示すイメージを更に含むレディ画面を表示してもよいことはいうまでもない。
【０１２５】
一方、制御部１ｕは、前述した工程ＳＴ３でエラーの種別が、当該複合機１本体の搬送経路内の上流、中流、下流の何れかの領域で紙が詰まったことに起因するエラーである「ジャムエラー」であると特定された場合には（ＳＴ３：error６）、エラーの発生の有無に関する情報が「エラーの発生有り」でかつ、エラーの種別が「ジャムエラー」に対応するレディ画面のテンプレートファイルをテンプレートファイル記憶部１ｒから読み出し、読みだしたレディ画面のテンプレートファイルのデータと、ジャム履歴記憶部から読み出したジャムの種別とジャムの発生回数のデータとを合成して、ジャムの種別とジャムの発生回数に関する第７のイメージを含むレディ画面を予め操作者によって設定された表示時間の間だけ表示画面１ａ１（表示手段）に表示させる（ＳＴ１０）。
【０１２６】
図１０は、直前の印刷ジョブに、当該複合機１本体の搬送経路内の上流、中流、下流の何れかの領域で紙が詰まったことに起因するジャムエラーが発生している場合に、本実施の形態に係る複合機１の表示画面１ａ１に表示されるレディ画面の一例を示す模式図である。
【０１２７】
このレディ画面は、表示している画面がレディ画面であることを示す「Ｒｅａｄｙ to ｐｒｉｎｔ．」というメッセージと、ジャムの種別とジャムの発生回数とを示す第７のイメージと、選択操作が当該レディ画面上でなされて、前述したジャムの種別とジャムの発生回数とを示す第７のイメージとは異なるトナーの残量を示す第１のイメージを含む、エラーが発生していない場合に表示される前述のレディ画面を表示させるための表示要求の入力を受け付ける画面切替釦とを含んでいる。
【０１２８】
以上の一連の処理により、本実施の形態に係る複合機１は、実行中の処理を終了する。
【０１２９】
なお、本実施の形態に係る複合機１は、直前の印刷ジョブの実行中に発生したエラーが操作者の解除操作によって解除された後、当該印刷ジョブの終了後から次の印刷ジョブを受け付けるまでの間の期間だけ、当該エラーに関連した情報をパネル部の表示画面１ａ１に表示させたが、これに限らず、エラー発生時に表示させてもよいことは言うまでもない。
【０１３０】
上述したように本実施の形態の複合機１によれば、印刷ジョブの実行時にエラーが発生したとき、印刷ジョブが終了した後で、エラーの内容を示すエラー種別に応じた情報を含むレディ画面が制御部１ｕによって表示画面１ａ１（表示手段）に表示されるので、トナーに起因して発生するエラーだけでなく、トナー以外の要因に起因して発生するエラーに対して操作者が何らかの対策を講じることが可能になる。
【０１３１】
また、本実施の形態の複合機１によれば、同じ種類の問題があった場合に、その場で認識することが出来る。
【０１３２】
更に、本実施の形態の複合機１によれば、必要なユーザーが表示パネルの前にいるときだけ表示させることができ、エラー後以外は通常のレディ画面を表示しておくことが出来るので、エラーの有無に応じて表示するレディ画面を選択することが可能になる。
【０１３３】
また、本実施の形態の複合機１によれば、問題が起こらないような予防策を自然に示すことができる。
【０１３４】
更に、本実施の形態の複合機１によれば、エラーを解除したユーザーに対して似たような問題が発生する可能性を示唆することで、より有効に意識付けすることが出来る。
【０１３５】
なお、上記実施の形態に係る画像形成プログラムは、コンピュータにインストールされた、アプリケーションプログラム、エミュレーター、ＯＳ、ブラウザー、ミドルウェア等によってその機能が実現されるものであってもよい。
【０１３６】
なお、上述した各実施の形態に示す手法は、コンピュータにより読み出して実行させることのできるプログラムとして磁気ディスク（フロッピー（登録商標）ディスク、ハードディスクドライブ等）、光ディスク（ＣＤ−ＲＯＭ、ＤＶＤ、ＢＤ（Blu-ray Disk）−ＲＯＭ(Read Only Memory:再生専用型)、ＢＤ(Blu-ray Disk)−Ｒ(Recordable:追記型)、ＢＤ(Blu-ray Disk)−ＲＥ（Rewritable:書き換え型）HD DVD-ROM、HD DVD-R、HD DVD-RW、HD DVD-RAM:等）、光磁気ディスク（ＭＯ）、半導体メモリ、ホログラフィックメモリ等の記録媒体に格納して頒布することによりユーザーに提供することができる。
【０１３７】
また、本発明の画像形成プログラムの提供手法としては、例えば画像形成プログラムを記録媒体に記録させた状態でユーザーに頒布する手法や、例えばインターネット等の通信ネットワークを介してユーザーの保有するコンピュータに送信し、送信したプログラムをコンピュータにインストールさせる手法、無線を用いて提供する手法等が上げられる。また、本実施の形態に係る画像形成プログラムを提供する手法としては、いわゆる周知のＡＳＰ（Application Service Provider）による手法によってもよいことはいうまでもない。
【０１３８】
また、上記実施の形態に係る画像形成プログラムは、一般的な高級言語、例えばＣ言語、Delphi、ＸＴＬ、Perl（Practical Extraction and Report Language）、XML(eXtensible Markup Language)や、オブジェクト指向言語（C++、JAVA、C＃、JAVA2、Small Talk）等の任意のプログラム言語で作成されたものであってもよい。
【０１３９】
また、本発明に関して記録媒体としては、プログラムを記録でき、かつ、コンピュータが読み取り可能な記録媒体であれば、記録形式はいかなる形式であっても、例えば、磁気テープ、半導体フラッシュメモリ、フロッピー（登録商標）ディスク、ＣＤ−ＲＯＭ、ＣＤ−Ｒ／ＲＷ、ＤＶＤ−ＲＯＭ、ＤＶＤ−ＲＡＭ、ＤＶＤ−Ｒ／−ＲＷ、ＤＶＤ+Ｒ／＋ＲＷ、ＭＯ、ホログラフィックメモリ、ＢＤ−ＲＯＭ、ＢＤ−Ｒ、ＢＤ−ＲＥ、HD DVD-ROM、HD DVD-R、HD DVD-RW、HD DVD-RAM等のいずれの形態であってもよい。
【０１４０】
更に、本発明の記録媒体は、コンピュータと独立した媒体に限らず、ＬＡＮ、ＷＡＮ、イントラネット、及びインターネット等の通信ネットワークを介して記憶又は一時記憶した媒体であってもよい。
【０１４１】
また、本発明では、記録媒体の種類及び数は、ひとつである必要は無く、同一の形態または形態の異なる複数の記録媒体の組み合わせからなっていてもよいことはいうまでもない。
【０１４２】
また、本発明は、上述した各機能を実現するプログラムを構成するのに必要不可欠なデータ構造、加工用プログラム、及び上記加工用プログラムが機能する各種ハードウェアを
包含する。
【０１４３】
なお、上記加工用プログラムは、一般的な高級言語、例えばＣ言語、Delphi、ＸＴＬ、Perl（Practical Extraction and Report Language）、XML(eXtensible Markup Language)や、オブジェクト指向言語（C++、JAVA、C＃、JAVA2、Small Talk）等の任意のプログラム言語で作成されたものであってもよい。
【０１４４】
なお、本発明は、上記実施の形態に限定されるものではなく、実施段階では本発明の要旨を逸脱しない範囲内で種々の変更が可能である。更に上記実施の形態には種々の段階の発明が含まれており、開示される複数の構成要件における適宜な組み合わせにより種々の発明が生成され得る。例えば実施の形態に示される全構成要件からいくつかの要件が省略されることで発明が生成される場合には、その生成された発明を実施する段階では省略部分が周知慣用技術で補われるものである。
【０１４５】
その他、本発明は、その要旨を逸脱しない範囲内で種々変更して実施することができる。
【図面の簡単な説明】
【０１４６】
【図１】本発明の画像形成装置を適用した複合機１の一例を示す斜視図である。
【図２】本実施の形態に係る複合機１の構成の一例を示す機能ブロック図である。
【図３】本実施の形態に係る複合機１が実行する実行処理に関して説明するためのフローチャートである。
【図４】直前の印刷ジョブに何らのエラーも発生していない場合に、本実施の形態に係る複合機１の表示画面１ａ１に表示されるレディ画面の一例を示す模式図である。
【図５】直前の印刷ジョブにトナーに起因するトナーエンプティエラーが発生している場合に、本実施の形態に係る複合機１の表示画面１ａ１に表示されるレディ画面の一例を示す模式図である。
【図６】直前の印刷ジョブに、部門毎の紙の印刷枚数が部門毎に予め定められた印刷枚数の上限値を超過していることに起因する部門管理不能エラーが発生している場合に、本実施の形態に係る複合機１の表示画面１ａ１に表示されるレディ画面の一例を示す模式図である。
【図７】直前の印刷ジョブに、当該複合機１本体に設けられた何れかの給紙段に収容された紙のサイズが予め定められた紙のサイズと異なることに起因するエラーであるサイズミスマッチエラーが発生している場合に、本実施の形態に係る複合機１の表示画面１ａ１に表示されるレディ画面の一例を示す模式図である。
【図８】直前の印刷ジョブに給紙段の紙の残量がゼロになったことに起因するペーパーエンプティエラーが発生している場合に、本実施の形態に係る複合機１の表示画面１ａ１に表示されるレディ画面の一例を示す模式図である。
【図９】直前の印刷ジョブに、いずれかのステープル収容部内のステープルの残量がゼロとなったことに起因するステープルエンプティエラーが発生している場合に、本実施の形態に係る複合機１の表示画面１ａ１に表示されるレディ画面の一例を示す模式図である。
【図１０】直前の印刷ジョブに、当該複合機１本体の搬送経路内の上流、中流、下流の何れかの領域で紙が詰まったことに起因するジャムエラーが発生している場合に、本実施の形態に係る複合機１の表示画面１ａ１に表示されるレディ画面の一例を示す模式図である。
【符号の説明】
【０１４７】
１…複合機、１ａ…パネル部、１ｂ…インターフェース部、１ｃY、１ｃM、１ｃC、１ｃK…トナー残量検出部、１ｄ１〜１ｄｎ…給紙段別カウンタ、１ｅ１〜１ｅｎ…給紙段別紙残量検出部、１ｆ…紙送り機構、１ｇ１〜１ｇ３…マイクロスイッチ、１ｈ１〜１ｈｎ…給紙段別サイズ検出部、１ｉ１〜１ｉｎ…ステープル残量検出部、１ｊ…トナー残量記憶部、１ｋ…給紙段別印刷枚数記憶部、１ｌ…給紙段別残量記憶部、１ｍ…印刷ジョブ履歴データ記憶部、１ｎ…部門情報記憶部、１ｏ…給紙段別サイズ記憶部、１ｐ…ステープル残量記憶部、１ｑ…ジャム履歴データ記憶部、１ｒ…テンプレートファイル記憶部、１ｓ…画像生成部、１ｔ…プリンターエンジン部、１ｕ…制御部
【図１】
0005080194.tif 000002
【図２】
0005080194.tif 000003
【図３】
0005080194.tif 000004
【図４】
0005080194.tif 000005
【図５】
0005080194.tif 000006
【図６】
0005080194.tif 000007
【図７】
0005080194.tif 000008
【図８】
0005080194.tif 000009
【図９】
0005080194.tif 000010
【図１０】
0005080194.tif 000011